(57)【要約】      （修正有）【課題】ステープラを用いることなく簡単にヘッダーを袋本体に取り付けることができるヘッダー付き包装袋を提供する。【解決手段】上方に開口する袋部１１と該袋部１１から上方に延設されると共に袋部１１の開口部を上方から覆うように下方に折り返されて袋部１１の外面に接着される延設片１３とを有する袋本体１と、該袋本体１とは別体に形成されたヘッダー２とを備えたヘッダー付き包装袋において、ヘッダー２にはフック部１５が形成され、袋本体１には、前記フック部１５を引っかけることによってヘッダー２を袋本体１の内面側に吊り下げ保持する保持片３０が設けられている。【選択図】図２
2011025966.tif 000002
【特許請求の範囲】
【請求項１】
上方に開口する袋部と該袋部から上方に延設されると共に袋部の開口部を上方から覆うように下方に折り返されて袋部の外面に接着される延設片とを有する袋本体と、該袋本体とは別体に形成されたヘッダーとを備えたヘッダー付き包装袋において、
ヘッダーにはフック部が形成され、袋本体には、前記フック部を引っかけることによってヘッダーを袋本体の内面側に吊り下げ保持するヘッダー保持部が設けられていることを特徴とするヘッダー付き包装袋。
【請求項２】
ヘッダーの上端部を折り返し点として延設片が下方に折り返されている請求項１記載のヘッダー付き包装袋。
【請求項３】
上側に折り返し部が形成されるようにヘッダーの一部を下方に折り返すことにより前記フック部が形成されている請求項１記載のヘッダー付き包装袋。
【請求項４】
袋本体の内面に少なくとも両側部が固着されて上端部にフック部を引っかけるように構成された保持片がヘッダー保持部として設けられ、該保持片の上端部は袋部の開口部よりも上方に位置し、ヘッダーの下端部は袋部内に位置する請求項１記載のヘッダー付き包装袋。
【請求項５】
保持片の下端部は袋部内に位置する請求項４記載のヘッダー付き包装袋。
【請求項６】
袋本体の内面に少なくとも両側部が固着されて上端部にフック部を引っかけるようにフィルムから構成された保持片がヘッダー保持部として設けられ、保持片の上端部はフィルムを下方に折り返した折り返し部となっている請求項１記載のヘッダー付き包装袋。
【発明の詳細な説明】
【技術分野】
【０００１】
本発明は、袋本体とは別体に形成されたヘッダーを備えたヘッダー付き包装袋に関するものである。
【背景技術】
【０００２】
従来、この種のヘッダー付き包装袋としては、袋本体にヘッダーがステープラで取り付けられたものが公知である。しかしながら、包装袋を開封した後にステープラの針を処理することが面倒である。そこで、下記特許文献１記載のようにステープラを用いずに袋本体にヘッダーを取り付ける構成も提案されている。しかしながら、この構成の場合には、袋本体の上部をヘッダーの一部と共に折り返すという作業が必要であるうえに、更に、その折り返した状態を維持しながら、二つ折り状態のヘッダーの内面同士を接着剤で強固に貼り合わせるという作業も必要になる。このヘッダーの内面同士を貼り合わせている接着剤が仮に剥がれると、ヘッダーから袋本体が簡単に分離することになる。特に、ヘッダーにおいて包装袋を吊り下げる構成となっているため、接着剤が剥がれた場合には、商品を収容した袋本体のみがヘッダーから分離して落下するという不具合が生じる。従って、ヘッダーの内面同士を接着剤で強固に行う必要があるが、この作業が容易ではない。
【先行技術文献】
【特許文献】
【０００３】
【特許文献１】特開２００１−１８０７４４号公報
【発明の概要】
【発明が解決しようとする課題】
【０００４】
それゆえに本発明は上記従来の問題点に鑑みてなされ、ステープラを用いることなく簡単にヘッダーを袋本体に取り付けることができるヘッダー付き包装袋を提供することを課題とする。
【課題を解決するための手段】
【０００５】
本発明は上記課題を解決すべくなされたものであって、本発明に係るヘッダー付き包装袋は、上方に開口する袋部と該袋部から上方に延設されると共に袋部の開口部を上方から覆うように下方に折り返されて袋部の外面に接着される延設片とを有する袋本体と、該袋本体とは別体に形成されたヘッダーとを備えたヘッダー付き包装袋において、ヘッダーにはフック部が形成され、袋本体には、前記フック部を引っかけることによってヘッダーを袋本体の内面側に吊り下げ保持するヘッダー保持部が設けられていることを特徴とする。尚、ヘッダーを袋本体の内面側に吊り下げ保持することには、ヘッダーの一部が袋部の外側に位置しそのヘッダーの一部の外側に延設片が覆うように位置している場合も含まれる。
【０００６】
該構成のヘッダー付き包装袋にあっては、ヘッダーのフック部を袋本体のヘッダー保持部に引っかけることで袋本体の内面側にヘッダーを吊り下げ保持することができる。また、延設片が袋部の開口部を上方から覆っているので、袋本体の内面側に吊り下げ保持されたヘッダーが袋部の開口部から上方に外れるということも防止される。
【０００７】
特に、ヘッダーの上端部を折り返し点として延設片が下方に折り返されていることが好ましい。ヘッダーをヘッダー保持部に吊り下げ保持した後に、延設片を下方に折り返す際において、ヘッダーの上端部を折り返し点とすることで延設片を容易に折り返すことができ、しかも、折り返し点が定まるので、包装袋毎に延設片の折り返し点がばらつくということもない。更に、ヘッダーの上端部よりも上方の位置を折り返し点とする場合に比して、ヘッダーの上下動が延設片によって抑制され、ヘッダーが安定する。
【０００８】
また、上側に折り返し部が形成されるようにヘッダーの一部を下方に折り返すことにより前記フック部が形成されていることが好ましい。別部材を接着等してフック部を構成してもよいが、ヘッダーの一部を下方に折り返してフック部を形成することにより、ヘッダーの構成を簡単なものとすることができてそれ自体の製造も容易になる。尚、ヘッダーの折り返し部の位置は、ヘッダーの上下方向の中途部であっても、ヘッダーの上端部であってもよい。
【０００９】
また、袋本体の内面に少なくとも両側部が固着されて上端部にフック部を引っかけるように構成された保持片がヘッダー保持部として設けられ、該保持片の上端部は袋部の開口部よりも上方に位置し、ヘッダーの下端部は袋部内に位置することが好ましい。保持片の上端部が袋部内ではなく袋部の開口部よりも上方に位置するので、保持片にヘッダーのフック部を容易に引っかけることができる。しかも、ヘッダーの下端部は袋部内に位置するので、保持片にヘッダーを吊り下げた後に商品等の被包装物を袋部に収容する際においてヘッダーが被包装物のガイドとなり、スムーズに被包装物を袋部に挿入できる。更に、ヘッダーによって袋部の開口部周辺の剛性が大きくなるので、袋部の開口部を確実に開口させることができて、袋部に被包装物を容易に収容できる。
【００１０】
更に、保持片の下端部が袋部内に位置すれば、ヘッダーの下端部を袋部に差し込む際に、保持片がそのガイドなるので、容易にヘッダーの下端部を袋部に差し込むことができる。
【００１１】
また、袋本体の内面に少なくとも両側部が固着されて上端部にフック部を引っかけるようにフィルムから構成された保持片がヘッダー保持部として設けられ、保持片の上端部はフィルムを下方に折り返した折り返し部となっていることが好ましい。保持片の上端部を折り返し部とすることにより、保持片の上端部の剛性が大きくなると共に滑りが良くなるので、ヘッダーのフック部を保持片の上端部に引っかける際の作業をスムーズに行うことができ、しかも、保持片の上端部に皺が入りにくくなる。特に、包装袋を吊り下げるための吊り下げ孔等の孔や切欠をヘッダーに形成している場合には、その孔や切欠に保持片の上端部が引っかかりにくくなるので、効果が大きい。
【発明の効果】
【００１２】
以上のように、ヘッダーを袋本体の内面側に吊り下げ保持する構成であるので、ステープラを用いることなく簡単にヘッダーを袋本体に装着することができる。また、ヘッダーが袋本体とは別体に設けられているので、例えば、包装する商品毎に印刷の異なるヘッダーを準備しておき、それらを共通の袋本体に取り付けることで多品種小ロット生産に容易に対応できる。
【図面の簡単な説明】
【００１３】
【図１】本発明の一実施形態におけるヘッダー付き包装袋を示す正面図。
【図２】図１のＰ−Ｐ線断面図。
【図３】同実施形態におけるヘッダー付き包装袋の組み立て途中の状態を示す斜視図。
【図４】同実施形態におけるヘッダー付き包装袋の組み立て途中の状態を示す断面図。
【図５】同実施形態におけるヘッダー付き包装袋の要部（袋本体）の一製造工程を示す斜視図。
【図６】本発明の他の実施形態におけるヘッダー付き包装袋の組み立て途中の状態を示す断面図。
【図７】本発明の他の実施形態におけるヘッダー付き包装袋を示す断面図。
【図８】本発明の他の実施形態におけるヘッダー付き包装袋を示す断面図。
【図９】本発明の他の実施形態におけるヘッダー付き包装袋を示す断面図。
【図１０】本発明の他の実施形態におけるヘッダー付き包装袋を示す断面図。
【図１１】本発明の他の実施形態におけるヘッダー付き包装袋を示す断面図。
【図１２】本発明の他の実施形態におけるヘッダー付き包装袋を示す断面図。
【図１３】本発明の他の実施形態におけるヘッダー付き包装袋を示す断面図。
【図１４】本発明の他の実施形態におけるヘッダー付き包装袋を示す断面図。
【図１５】本発明の他の実施形態におけるヘッダー付き包装袋を示す断面図。
【図１６】本発明の他の実施形態におけるヘッダー付き包装袋を示す断面図。
【図１７】本発明の他の実施形態におけるヘッダー付き包装袋を示す正面図。
【図１８】同実施形態におけるヘッダー付き包装袋の組み立て途中の状態を示す斜視図。
【発明を実施するための形態】
【００１４】
以下、本発明の一実施形態にかかるヘッダー付き包装袋について図１乃至図５を参酌しつつ説明する。本実施形態におけるヘッダー付き包装袋は、フィルムから形成された袋本体１と、該袋本体１とは別体にて形成されて袋本体１に装着されたヘッダー２とを備えている。
【００１５】
袋本体１は、フィルムから縦長の長方形状に形成されており、底部にガセット部１０を有して上方に開口する袋部１１と、該袋部１１の開口部より上方に延設されて開口部を上方から覆うように下方に折り返されて袋部１１の外面に接着された延設片１３とを備えている。袋部１１を構成する表裏一対のフィルム片２１，２２は、その下部同士がガセット部１０を介して連続すると共に、左右両側部において互いに溶着され、これにより、内部に商品等の被包装物を収容可能な収容空間が形成される。そして、表裏一対のフィルム片２１，２２のうち裏側のフィルム片２２は表側のフィルム片２１よりも上方に延設されて長く、該裏側のフィルム片２２の上方延設部分から前記延設片１３が構成され、該延設片１３は表側のフィルム片２１の外面に接着層１４を介して剥離可能に接着されている。
【００１６】
かかる袋本体１の内面には、ヘッダー２を袋本体１の内面側に吊り下げ保持するための保持片３０（ヘッダー保持部）が取り付けられている。該保持片３０は、フィルムから袋部１１と同幅の矩形に形成されて、表裏一対のフィルム片２１，２２間に位置している。即ち、保持片３０の両側部３０ｃは、表裏一対のフィルム片２１，２２の両側部間に挟まれるようにして溶着により固着されており、保持片３０の上端部３０ａと下端部３０ｂは袋本体１の内面即ち表裏一対のフィルム片２１，２２の内面には固着されずに離れている。従って、保持片３０と表裏一対のフィルム片２１，２２との間には、上下に貫通した貫通孔がそれぞれ形成されている。
【００１７】
また、保持片３０の上端部３０ａは、袋部１１の開口縁部である表側のフィルム片２１の上端部２１ａよりも上方に位置し、保持片３０の下端部３０ｂは、袋部１１内に位置している。詳細には、保持片３０の下端部３０ｂは、表側のフィルム片２１の上端部２１ａよりも下方であって、且つ、袋部１１の底部よりも上方に位置しており、本実施形態では底部にガセット部１０を有しているので、ガセット部１０の上部折り返し部１０ａよりも上方に位置している。尚、保持片３０の下端部３０ｂは、表側のフィルム片２１の上端部２１ａから袋部１１の上下方向中央部までの間に位置することが好ましく、保持片３０の上端部３０ａは、表側のフィルム片２１の上端部２１ａよりも少なくとも１０ｍｍ程度上方に位置することが好ましい。
【００１８】
ここで、袋本体１を構成するフィルムとしては、包装袋に使用されうる各種のプラスチックフィルムが適用可能であって、特に透明のものが、内部の被包装物の視認性に優れているため好ましい。プラスチックフィルムとしては、例えばポリプロピレンやポリエチレン等のポリオレフィン系樹脂のフィルムなどがあり、単層のものの他、ガスバリア性のフィルムを積層した多層のものも使用できる。また、保持片３０を構成するフィルムも同様に各種のプラスチックフィルムを使用でき、製造上、袋本体１と熱融着可能なプラスチックフィルムが好ましく、保持片３０を構成するフィルムと同一のフィルムを使用することもできる。
【００１９】
また、前記ヘッダー２は、袋本体１を構成するフィルムよりも厚肉のシートから構成され、その上端部２ａが折り返し部となるように山折り状の二つ折りとされている。該二つ折りのヘッダー２は、その表側のシート片４１の長さと裏側のシート片４２の長さが略同一とされていて、両シート片４１，４２の間に前記保持片３０が位置するようにして、保持片３０の上端部３０ａに引っかけられて吊り下げ保持されている。即ち、本実施形態においては一方のシート片が保持片３０に引っかけるためのフック部として構成されている。そして、ヘッダー２の下端部２ｂ（表裏両シート片４１，４２の下端部４１ｂ，４２ｂ）は、袋部１１内に位置し、より詳細には、保持片３０の下端部３０ｂよりも下方に位置する。また、ヘッダー２の上端部２ａは保持片３０の上端部３０ａと略同じ位置であるので、ヘッダー２の上端部２ａも袋部１１の開口部よりも上方に位置している。そして、該ヘッダー２の折り返し部である上端部２ａを上方から覆うように、ヘッダー２の上端部２ａを折り返し点として延設片１３が裏側から表側に向かって下方に折り返されている。尚、ヘッダー２の幅は袋本体１の幅よりも若干狭く、また、ヘッダー２の下端部２ｂの左右両隅部は円弧状に面取りされていて袋部１１への挿入を容易にしている。
【００２０】
かかるヘッダー２を構成するシートには、袋本体１を構成するフィルムよりも剛性のあるものが使用され、例えば、ボール紙や合成紙、厚紙等の板紙や、厚手のプラスチックシート等が使用でき、また、それらを適宜に積層したものも使用できる。そして、その外面には被包装物の説明文等の各種の表示が印刷により施される。
【００２１】
また、このヘッダー付き包装袋の上部には、該包装袋を陳列棒（図示省略）に吊り下げるための吊り下げ孔１５が形成されている。従って、折り返された状態の延設片１３において対向する二カ所と、二つ折りのヘッダー２において対向する二カ所と、保持片３０の一カ所には、それぞれ丸形の吊り下げ孔１５が形成されている。
【００２２】
以上のように構成されるヘッダー付き包装袋は、袋本体１をヘッダー２とは別に製造する。具体的には、図５のように、底部にガセット部を形成するように下側で折り曲げた長尺状の本体用フィルム５０の内面側に長尺状の保持片用フィルム５１を介在させ、両フィルム５０，５１を長手方向に送りながら両フィルム５０，５１を横断するように溶断することによって、保持片３０が溶着された袋本体１を連続的に製造していく。尚、長尺状の本体用フィルム５０において延設片１３となる箇所の内面には、予め長手方向に沿って所定幅の接着層５３を帯状に形成しておくと共にそれを覆うようにしてそれよりも幅広の長尺状の剥離フィルム５２を貼り付けておく。また、本体用フィルム５０と保持片用フィルム５１の所定箇所には、例えば溶断工程の前にその溶断のタイミングと連動して、長手方向に一定間隔毎に吊り下げ孔１５を形成する。このように袋本体１の吊り下げ孔１５と保持片３０の吊り下げ孔１５をまとめて形成することで、袋本体１の吊り下げ孔１５と保持片３０の吊り下げ孔１５の位置とを高精度に位置合わせできる。
【００２３】
次に、このようにして製造した袋本体１にヘッダー２を装着していくのであるが、ヘッダー２は図３のように予め二つ折りに形成しておくと共に吊り下げ孔１５も形成しておく。このヘッダー２の袋本体１への装着工程は、袋本体１に被包装物を収容した後において行うことも可能であるが、袋本体１に被包装物を収容する前に行うことが好ましい。即ち、図３のように、裏側のフィルム片２２が上下方向に伸びて延設片１３を折り曲げない状態とし、その袋本体１に上方から二つ折り状態のヘッダー２を差し込む。その際、図４のように、保持片３０の上端部３０ａが表側のフィルム片２１の上端部２１ａよりも上方に位置しているので、保持片３０の上端部３０ａが袋部１１内に位置する場合に比して、保持片３０にヘッダー２を容易に吊り下げ保持させることができる。しかも、保持片３０の上端部３０ａが表側のフィルム片２１の上端部２１ａよりも上方に位置すると共に保持片３０の下端部３０ｂが袋部１１内に位置するので、ヘッダー２の表側のシート片４１を袋部１１内に差し込む際に保持片３０がガイドとなって、表側のフィルム片２１と保持片３０との間に容易にヘッダー２の表側のシート片４１を差し込むことができる。
【００２４】
そして、引き続いて袋部１１に被包装物を挿入するのであるが、ヘッダー２の上端部３０ａが表側のフィルム片２１の上端部２１ａよりも上方に位置し且つヘッダー２の下端部２ｂが袋部１１内に位置しているので、被包装物を袋部１１に挿入する際においてヘッダー２が被包装物のガイドとなってスムーズに被包装物を挿入できる。特に、ヘッダー２によって袋部１１の開口部周辺の剛性が大きくなっているので、袋部１１の開口部を容易に且つ確実に開口させることができる。しかも、保持片３０の下端部３０ｂが袋本体１の内面に固着されていないので、ヘッダー２の表側のみならず裏側から被包装物を袋部１１に挿入することができ、効率よく収容できる。
【００２５】
そして、被包装物を袋部１１に収容した後、延設片１３を表側に折り返すのであるが、ヘッダー２の上端部２ａを折り返し点として折り返すことができるので、延設片１３の折り返し位置が上下にばらつくことがなく、且つ、折り返し作業を簡単に行うことができる。そして、剥離フィルム１６を剥がして接着層１４により延設片１３の先端領域を表側のフィルム片２１の外面に接着させる。
【００２６】
このようにしてヘッダ付き包装袋及び被包装物を収容したヘッダー付き包装体が製造されるのであるが、ヘッダー２が袋本体１とは別体に設けられているので、ヘッダー２の表示を被包装物毎に異なるものにすれば、共通した袋本体１にヘッダー２を装着することで多品種小ロット生産に容易に対応することができる。しかも、ヘッダー２を保持片３０に吊り下げ保持させるという構成であるので、ヘッダー２を袋本体１に溶着したり接着したりする必要がなく、また、ステープラで取り付ける必要もなく、簡単な作業でヘッダー２を袋本体１に装着することができる。
【００２７】
更に、延設片１３が袋部１１の開口部を上方から覆っているので、袋本体１の内面側に吊り下げ保持されたヘッダー２が袋部１１の開口部から上方に外れるということも防止される。特に、延設片１３がヘッダー２の上端部２ａを折り返し点として折り返されているので、袋本体１に対するヘッダー２の上下動が抑制されてその吊り下げ状態がしっかりと維持される。また延設片１３によってヘッダー２の上下動が抑制されることにより、延設片１３及び保持片３０の吊り下げ孔１５とヘッダー２の吊り下げ孔１５とが位置ずれしにくくなり、陳列棒に包装袋を容易に吊り下げることができる。尚、陳列時において、ヘッダー２が上部に位置しその下側に被包装物が位置するので、購入者が被包装物を視認しつつヘッダー２に記載された説明文等を読み取るということができる。また、万一、輸送中や陳列時等において延設片１３の接着が剥がれたとしても、ヘッダー２は袋本体１に吊り下げ保持されているので、ヘッダー２で袋本体１の開口部を封止する構成のようにヘッダー２と袋本体１が分離して被包装物が散乱等するというようなことも生じない。
【００２８】
また、ヘッダー２は袋本体１に吊り下げ保持されているのみであって袋本体１に固着されてはいないので、開封後において袋本体１からヘッダー２を容易に分離することができる。従って、ヘッダー２を袋本体１とは分離して廃棄する必要がある場合において特に有効である。
【００２９】
尚、図６のように、保持片３０の上端部３０ａをフィルムを下方に折り返した折り返し部として構成すると、保持片３０の上端部３０ａが二重になってその剛性が大きくなると共に滑りも良くなるので、ヘッダー２を保持片３０の上端部３０ａに吊り下げる作業をスムーズに行うことができ、しかも、ヘッダー２の下端部２ｂが保持片３０の上端部３０ａを押して保持片３０の上端部３０ａに皺が入るということも抑制される。特に、ヘッダー２には吊り下げ孔１５が形成されているので、ヘッダー２を保持片３０の上端部３０ａに吊り下げる際に、ヘッダー２の吊り下げ孔１５の縁部が保持片３０の上端部３０ａに引っかかりにくくなる。尚、ヘッダー２に吊り下げ孔１５以外の孔や切欠等を設けている場合にも特に有効である。尚、保持片の３０の上端部３０ａを下方に折り返す場合には、図６のように裏側に折り返すことが視覚的に好ましいが、表側に折り返すようにしてもよい。
【００３０】
また、上記実施形態では、保持片３０の下端部３０ｂが袋部１１内に位置する場合について説明したが、図７のように保持片３０の下端部３０ｂが袋部１１の開口縁部である表側のフィルム片２１の上端部２１ａよりも上方に位置する構成、即ち、保持片３０全体が袋部１１の開口縁部よりも上方に位置する構成としてもよい。
【００３１】
更に、ヘッダー２の上下方向の長さについても任意であって、図７に示すように、表側のシート片４１の長さと裏側のシート片４２の長さが互いに異なるようにしてもよい。正面からの視認性に関しては、表側のシート片４１の長さを裏側のそれよりも長くすることが好ましい。また、図７では表側のシート片４１であるが、表側のシート片４１と裏側のシート片４２のうち、一方のシート片の下端部のみを袋部１１内に位置するようにしてもよく、その場合であってもヘッダー２の下端部２ｂが袋部１１内に位置することから、被包装物を袋部１１に挿入する際にヘッダー２をガイドとして使用することができる。
【００３２】
また、図８のように、保持片３０全体が袋部１１内に位置する構成としてもよい。この場合には包装袋の上下方向の寸法を短くすることができる。尚、図８のように、延設片１３の折り返し点が保持片３０の上端部３０ａよりも上方に位置してもよい。また、保持片３０の上端部３０ａが表側のフィルム片２１の上端部２１ａと略面一の高さになるようにしてもよい。
【００３３】
更に、図９のように、ヘッダー２の下端部２ｂを袋部１１の開口縁部よりも上方に位置させる構成、即ち、ヘッダー２全体が袋部１１よりも上方に位置する構成としてもよく、この場合にはヘッダー２をコンパクトにすることができ、被包装物の収容スペースを確保しやすい利点もある。また、保持片３０及びヘッダー２を袋部１１の開口縁部よりも上方に位置させる構成とする場合において、図９のように保持片３０に吊り下げ孔１５を形成するものの他、図１０のようにヘッダー２の一方のシート片（図１０では表側のシート片４１）を下方に伸ばして、保持片３０の下端部３０ｂと袋部１１の開口縁部との間の位置に吊り下げ孔１５を形成するようにしてもよい。尚、図１１に示すように、表側のシート片４１と裏側のシート片４２の双方を下方に伸ばしてそれぞれに吊り下げ孔１５を形成するようにしてもよい。
【００３４】
また、保持片３０の袋本体１への固着態様についても種々の態様が可能であって、上述したように保持片３０の上端部３０ａと下端部３０ｂの双方を袋本体１に固着しない構成とする他、図１２のように保持片３０の下端部３０ｂを袋本体１の内面に固着しその上端部３０ａについては固着しない構成とすることもでき、保持片３０の少なくとも左右両側部３０ｃが固着されていればその上端部３０ａに吊り下げ保持できる。
【００３５】
また更に、ヘッダー２を吊り下げ保持するために保持片３０を袋本体１の内面に固着する構成について説明したが、保持片３０を設けない構成としてもよい。例えば、図１３のように、袋部１１の開口縁部である表側のフィルム片２１の上端部２１ａをヘッダー保持部として、該上端部２１ａにヘッダー２を吊り下げ保持するようにしてもよい。図１３の場合、ヘッダー２の表側のシート片４１をフック部として表側のフィルム片２１の上端部２１ａに引っかけ、ヘッダー２の裏側のシート片４２は表側のシート片４１よりも長く形成して袋部１１内に垂れがるようにする。このように、保持片３０を設けずに袋部１１の開口縁部である表側のフィルム片２１の上端部２１ａをヘッダー保持部とする場合には、その製造も容易であるうえに、低コストにもなる。
【００３６】
尚、袋部１１の構成についても底部にガセット部１０を有する構成の他、図１３のようにガセット部を有しない平袋のタイプとしてもよい。また、矩形以外の形状であってもよい。
【００３７】
また、ヘッダー２の構成についても種々の構成を採用可能であり、上端部２ａを折り返し部とする構成の他、上下方向の中途部を折り返し部としてヘッダー２の一部を下方に折り返す構成としてもよい。例えば、図１４のように、ヘッダー２の上下方向中央部にコの字状の切り込み線４６を形成してそれで囲まれた部分を下方に折り返してフック部４３とし、該フック部４３を保持片３０の上端部３０ａに引っかけるようにしてもよい。また、図１４のように、ヘッダー２の全幅を下方に折り返してフック部４４を形成したうえで更に上方に折り返して、ヘッダー２を三つ折り状としてもよい。尚、図１４及び図１５では、裏側に折り返されてフック部４３，４４が形成されているが表側に折り返すようにしてもよい。
【００３８】
また更に、ヘッダー２の一部を下方に折り返してフック部を形成する構成には限定されず、ヘッダー２に別途のシート片を固着してフック部を形成してもよい。例えば、図１６のように、ヘッダー２の裏面にフック部用シート片４５の上端部４５ａを取り付けて下方に伸びるフック部を形成してもよい。この場合も同様にヘッダー２の表面側にフック部用シート片４５を取り付けてフック部を形成してもよい。
【００３９】
尚、図１４乃至図１６のように、ヘッダー２の上端部２ａに折り返し部を形成しない構成についても、ヘッダー２の上端部２ａを折り返し点として延設片１３を折り返すことが好ましい。
【００４０】
また、図１７及び図１８のように、ヘッダー２の表側のシート片４１が袋本体１の表側のフィルム片２１の外側に位置するようにすると共にその表側のシート片４１を延長片１３で覆うようにし、更に、その表側のシート片４１の両側縁部に後方に折れ曲がるサイドフラップ４７をそれぞれ設けるようにしてもよい。
【００４１】
尚、保持片３０を設ける構成において、上記実施形態では、保持片３０の両側部３０ｃを袋本体１の両側部に固着する構成について説明したが、保持片３０の両側部３０ｃを袋本体１の両側部から内側に所定距離離間した位置に固着するようにしてもよい。
【００４２】
また、保持片３０を帯状や糸状としたり、フィルムよりも剛性の大きいシートから構成したりしてもよい。
【００４３】
尚、保持片３０の上端部３０ａに引っかける構成とする他、保持片３０に切り込み線を形成してそこにフック部を差し込むようにして引っかけてもよい。同様に、保持片３０を設けずに袋本体１の一部をヘッダー保持部としてそこにフック部を引っかけるようにする場合においても、袋本体１に切り込み線を形成してそこにフック部を内面側から外面側に向けて差し込んで引っかけるようにしてもよい。但し、袋本体１に切り込み線を形成する場合には、ヘッダー２の一部が袋本体１から外側に露出することになる。従って、ヘッダー２の一部が袋本体１から外側に露出しないように、ヘッダー２の全体が袋本体１の内面側に位置させる、即ち、ヘッダー２の全体が袋本体１を構成するフィルムでカバーされるようにすることが好ましい。
【００４４】
また、吊り下げ孔１５に代えて別途の吊り下げ具を装着して吊り下げ陳列できるようにしてもよい。
【符号の説明】
【００４５】
１    袋本体
２    ヘッダー
２ａ    上端部
２ｂ    下端部
１０    ガセット部
１０ａ  上部折り返し部
１１    袋部
１３    延設片
１４    接着層
１５    吊り下げ孔
１６    剥離フィルム（剥離紙）
２１    表側のフィルム片
２１ａ  上端部
２２    裏側のフィルム片
３０    保持片
３０ａ  上端部
３０ｂ  下端部
３０ｃ  側部
４１    表側のシート片
４１ｂ  下端部
４２    裏側のシート片
４２ｂ  下端部
４３    フック部
４４    フック部
４５    フック部用シート片
４５ａ  上端部
４６    切り込み線
４７    サイドフラップ
５０    本体用フィルム
５１    保持片用フィルム
５２    剥離フィルム
５３    接着層
【図１】
2011025966.tif 000003
【図２】
2011025966.tif 000004
【図３】
2011025966.tif 000005
【図４】
2011025966.tif 000006
【図５】
2011025966.tif 000007
【図６】
2011025966.tif 000008
【図７】
2011025966.tif 000009
【図８】
2011025966.tif 000010
【図９】
2011025966.tif 000011
【図１０】
2011025966.tif 000012
【図１１】
2011025966.tif 000013
【図１２】
2011025966.tif 000014
【図１３】
2011025966.tif 000015
【図１４】
2011025966.tif 000016
【図１５】
2011025966.tif 000017
【図１６】
2011025966.tif 000018
【図１７】
2011025966.tif 000019
【図１８】
2011025966.tif 000020